(57)【要約】  少なくとも１つのテープガイド（１０）を有する記録および／または再生デバイス（１）において、ガイド壁（１３）およびガイド壁（１３）を超えて延びるガイドフランジ（１４、１５）は、窒化ジルコニウムまたは窒化チタンのコーティング（２１）で覆われており、その結果、高い耐磨耗性およびテープから摩滅される材料の堆積に対する高い耐性が成し遂げられる。
2005509234.tif 000002
【特許請求の範囲】
【請求項１】
テープ形状のデータキャリア（１１）の情報を記録および／または再生するための記録および／または再生デバイス（１）において、前記データキャリアは、テープ走行方向（８）に延び、前記テープ走行方向（８）に前進することができ、
該記録および／または再生デバイス（１）には、前記データキャリア（１１）をスキャンするための磁気ヘッド（９）および少なくとも１つのテープガイド（６、１０）が備えられ、
前記テープガイド（６、１０）は、前記磁気ヘッド（９）を通過する前記データキャリア（１１）をガイドするように設けられかつ構成され、湾曲したガイド壁（１３）および前記ガイド壁（１３）を超えて突出する２つのガイドフランジ（１４、１５）を有し、該ガイドフランジ（１４、１５）は前記ガイド壁（１３）に隣接し、
前記ガイド壁（１３）と、前記２つのガイドフランジ（１４、１５）のそれぞれとの間に移行領域（１６、１７）が設けられ、
前記２つの移行領域（１６、１７）に位置する前記テープガイド（６、１０）の領域は、前記テープ走行方向（８）に垂直に前記データキャリア（１１）の誤った移動が起こるとき、該誤った移動を妨げる力を前記データキャリア（１１）の縁部（１８）に加えることができ、
少なくとも前記ガイド壁（１３）および前記テープガイド（６、１０）の前記２つのガイドフランジ（１４、１５）は、コーティングを保持するのに適した材料で構成され、少なくとも、前記２つの移行領域（１６、１７）に位置し、前記データキャリア（１１）の前記縁部（１８）に力を与えることができる前記テープガイド（６、１０）の領域は、コーティング（２１）で覆われ、
該コーティング（２１）は、少なくとも２２００ＨＶの表面硬さ、および４０ｍＮ／ｍ以下の表面張力を有し、クロミウムを含まないことを特徴とする記録および／または再生デバイス。
【請求項２】
前記コーティングは、窒化ジルコニウムまたは窒化チタンからなることを特徴とする請求項１に記載の記録および／または再生デバイス。
【請求項３】
前記ガイド壁（１３）全体、および前記ガイドフランジ（１４、１５）の互いに隣接する内壁（１９、２０）は、全体的に前記コーティング（２１）で覆われていることを特徴とする請求項２に記載の記録および／または再生デバイス。
【請求項４】
前記コーティング（２１）は、１．５μｍと２．４μｍとの間の厚さを有することを特徴とする請求項３に記載の記録および／または再生デバイス。
【請求項５】
前記コーティング（２１）は、１．８μｍの公称厚さを有することを特徴とする請求項４に記載の記録および／または再生デバイス。
【請求項６】
前記コーティング（２１）は、粗さ値ＲＡが０．０５μｍである表面粗さを有することを特徴とする請求項１に記載の記録および／または再生デバイス。
【請求項７】
前記コーティング（２１）は、公称粗さ値が０．０３μｍである表面粗さを有することを特徴とする請求項６に記載の記録および／または再生デバイス。
【請求項８】
前記コーティング（２１）は、スパッタリング、特に物理蒸着法（ＰＶＤ法）によって施されることを特徴とする請求項３に記載の記録および／または再生デバイス。
【請求項９】
テープ形状のデータキャリア（１１）をガイドするテープガイド（１０）であって、前記データキャリアはテープ走行方向（８）に延び、前記テープ走行方向（８）に前進することができ、
テープガイド（１０）は、湾曲したガイド壁（１３）と、該ガイド壁（１３）を越えて突出する２つのガイドフランジ（１４、１５）を有し、該ガイドフランジ（１４、１５）は前記ガイド壁（１３）に隣接し、
前記ガイド壁（１３）と前記２つのガイドフランジ（１４、１５）のそれぞれとの間に移行領域（１６、１７）が設けられ、
前記２つの移行領域（１６、１７）に位置する前記テープガイド（６、１０）の領域は、前記テープ走行方向（８）に垂直に前記データキャリア（１１）の誤った移動が起こるとき、該誤った移動を妨げる力を前記データキャリア（１１）の縁部（１８）に与えることができ、
少なくとも前記ガイド壁（１３）および前記テープガイド（６、１０）の前記２つのガイドフランジ（１４、１５）は、コーティングを保持するのに適した材料で構成され、
少なくとも、前記２つの移行領域（１６、１７）に位置し、前記データキャリア（１１）の前記縁部（１８）に力を与えることができる前記テープガイド（６、１０）の領域は、コーティング（２１）で覆われ、
該コーティング（２１）は、少なくとも２２００ＨＶの表面硬さ、および４０ｍＮ／ｍ以下の表面張力を有し、クロミウムを含まないことを特徴とする記録および／または再生デバイス。
【請求項１０】
前記コーティングは、窒化ジルコニウムまたは窒化チタンで構成されていることを特徴とする請求項９に記載のテープガイド。
【請求項１１】
前記ガイド壁（１３）全体、および前記ガイドフランジ（１４、１５）の互いに隣接する内壁（１９、２０）は、全体的に前記コーティング（２１）で覆われていることを特徴とする請求項１０に記載のテープガイド。
【請求項１２】
前記コーティング（２１）は、１．５μｍと２．４μｍとの間の厚さを有することを特徴とする請求項１１に記載のテープガイド。
【請求項１３】
前記コーティング（２１）は、１．８μｍの公称厚さを有することを特徴とする請求項１２に記載のテープガイド。
【請求項１４】
前記コーティング（２１）は、粗さ値ＲＡが０．０５μｍである表面粗さを有することを特徴とする請求項９に記載のテープガイド。
【請求項１５】
前記コーティング（２１）は、公称粗さ値が０．０３μｍである表面粗さを有することを特徴とする請求項１４に記載のテープガイド。
【請求項１６】
前記コーティング（２１）は、スパッタリング、特に物理蒸着法（ＰＤＶ法）によって施されることを特徴とする請求項１１に記載のテープガイド。
【発明の詳細な説明】
【技術分野】
【０００１】
本発明は、テープ形状のデータキャリアの情報を記録および／または再生するための記録および／または再生デバイスであって、データキャリアは、テープ走行方向に延び、テープ走行方向に前進することが可能であり、デバイスは、データキャリアをスキャンするための磁気ヘッドおよび磁気ヘッドを通過してデータキャリアをガイドするための少なくとも１つのテープガイドを有し、テープガイドは、湾曲したガイド壁およびガイド壁を越えて突出する２つのガイドフランジを有し、ガイドフランジは、テープ走行方向に垂直に延びる方向に互いに距離を置いて位置し、ガイド壁に隣接し、移行領域においてそれぞれがガイド壁に統合し、２つの移行領域に位置するテープガイドの領域は、テープ走行方向に対して垂直に起こるデータキャリアの誤った移動が発生した場合に、この誤った移動を妨げる力をデータキャリアの縁部に与えることが可能である記録および／または再生デバイスに関する。
【０００２】
本発明はさらに、湾曲して延びるガイド壁およびガイド壁を超えて突出する２つのガイドフランジを有する、記録および／または再生デバイス用のテープガイドに関する。
【０００３】
上記の第２段落に定義される種類の２つのテープガイドを有する上記の第１段落に定義される記録および／または再生デバイスは、特許ＷＯ０１／６１６９３Ａ１に開示されており、このことは、このような記録および／または再生デバイスならびにこのようなテープガイドが既知のものと見なすことができることを意味する。
【背景技術】
【０００４】
上記で引用した特許にすでに説明されているように、磁気テープで形成されたテープ形態のデータキャリアが前方に移動するにつれて、テープ走行方向に垂直に延びる方向に誤った移動が起こる可能性がある。この場合、ガイド壁と２つのガイドフランジとの間の２つの移行領域に位置するテープガイドの領域は、上記の誤った移動を妨げる力を、データキャリアの縁部に与える。上記特許から既知のテープガイドの場合、このような誤った移動を妨げる目的で、２つのテープガイドローラのガイド壁の領域に制動突出部が設けられている。
【０００５】
実験および長期のテストが示したところでは、このような誤った移動の結果、およびこのような誤った移動によるテープガイドおよび記録用搬送テープのエッジに互いに与える影響の結果、ガイド壁と２つのガイドフランジとの間の２つの移行領域に位置するテープガイドの領域において、テープガイド上に、共に許容できない高い程度の磨耗が生じ、また、記録用搬送テープの２つの縁部領域に許容できない大量の摩滅が生じ、このような摩滅は、テープガイドのガイド壁の領域に蓄積する傾向があり、それにより次に、テープガイドによって提供されるガイドの水準が低下する結果がもたらされ、また摩滅の蓄積によって磁気ヘッドの適切な記録または再生が損なわれる可能性があるということである。上記の特許では、既知の記録および／または再生デバイスにおいて既知のテープガイドがどのような材料でできているかが示されていないことも述べておく。しかし、このようなテープガイドが、アルミニウムから製造されること（この種類のテープガイドは経済的であるが同時に高精度に製造されることができるため）、高いガイドの水準を与えること、およびこのようなアルミニウムのテープガイドがニッケル層でコーティングされることは既知である。このようなテープガイドが真鍮または鋼鉄で形成されることも既知である。
【発明の開示】
【０００６】
上記で言及した問題に関連して、テープガイドには、少なくとも３２００ＨＶ（ビッカース硬度）の値に対応する少なくとも１０ＧＰａの表面硬さを有するコーティングが提供されることがすでに提案されている。この場合、可能な材料として提案されているものは、チタン−アルミニウム窒化物、炭化タングステン、窒化シリコン、窒化クロミウム、およびＤＬＣ（ダイアモンド様炭素）である。上記の材料のうちの１つのコーティングを有するテープガイドに対する実験により、これらの材料の硬さは、ガイド壁と２つのガイドフランジとの間の２つの移行領域に位置する領域におけるテープガイドに対する許容できない高レベルの望ましくない磨耗を防止することが確かに可能であったことが示された。しかし、良好な記録および／または再生条件、ならびに長期の動作寿命を成し遂げることは未だに可能ではない。なぜなら、上記の材料のうちの１つのコーティングを有するテープガイドを調べると、テープガイドのガイド壁の領域に、テープから摩滅した材料が許容できないほど多く蓄積したからである。
【０００７】
本発明の目的は、上記の問題をなくし、改良された記録および／または再生デバイス、ならびにそのような記録および／または再生デバイス用の改良されたテープガイドを提供することである。
【０００８】
上記の目的を達成するために、本発明による特徴は、本発明による記録および／または再生デバイスが以下のように特徴付けられるように、本発明による記録および／または再生デバイスにおいて提供される。
【０００９】
テープ形状のデータキャリアの情報を記録および／または再生するための記録および／または再生デバイスであって、データキャリアは、テープ走行方向に延び、テープ走行方向に向かって前方に移動することが可能であり、記録および／または再生デバイスには、データキャリアをスキャンするための磁気ヘッドおよび少なくとも１つのテープガイドが備えられ、テープガイドは、データキャリアを磁気ヘッドを通過してガイドするように設けられかつ構成され、湾曲して延びるガイド壁およびガイド壁を超えて突出する２つのガイドフランジを有し、ガイドフランジは、ガイド壁に隣接し、ガイド壁と、２つのガイドフランジのそれぞれとの間に移行領域が設けられ、２つの移行領域に位置するテープガイドの領域は、テープ走行方向に垂直にデータキャリアの誤った移動が起こるとき、この誤った移動を妨げる力をデータキャリアの縁部に与えることが可能であり、少なくともガイド壁およびテープガイドの２つのガイドフランジは、コーティングを保持するのに適した材料で構成され、少なくとも、２つの移行領域に位置し、データキャリアの縁部に力を与えることが可能なテープガイドの領域は、コーティングが施され、コーティングは、少なくとも２２００ＨＶの表面硬さおよび４０ｍＮ／ｍ以下の表面張力を有し、クロミウムを含まない記録および／または再生デバイス。
【００１０】
上記目的を達成するため、本発明によるテープガイドを以下のように特徴付けることができるように、本発明の特徴が本発明によるテープガイドに提供される。すなわち：
テープ形状のデータキャリアをガイドするテープガイドであって、データキャリアは、テープ走行方向に延び、テープ走行方向に向かって前方に移動することが可能であり、テープガイドは、湾曲して延びるガイド壁と、該ガイド壁を越えて突出する２つのガイドフランジを有し、該ガイドフランジはガイド壁に隣接し、ガイド壁と、２つのガイドフランジのそれぞれとの間に移行領域が設けられ、２つの移行領域に位置するテープガイドの領域は、特にテープ走行方向に垂直にデータキャリアの誤った移動が起こるとき、この誤った移動を妨げる力をデータキャリアの縁部に与えることが可能であり、少なくともガイド壁およびテープガイドの２つのガイドフランジは、コーティングを保持するのに適した材料で構成され、少なくとも、２つの移行領域に位置し、データキャリアの縁部に力を与えることが可能なテープガイドの領域は、コーティングが施され、コーティングは、少なくとも２２００ＨＶの表面硬さおよび４０ｍＮ／ｍ以下の表面張力を有し、クロミウムを含まない記録および／または再生デバイス。
【００１１】
本発明による特徴を提供することによって有利に成し遂げられることは、特に損傷しやすく、テープ形態のデータキャリアの縁部からの応力を受けるテープガイドの領域が、コーティングの少なくとも２２００ＨＶという高い値の表面硬さ、およびコーティングのクロミウムを含まない組成のせいであると考えられる望ましくない高程度の磨耗から保護されていることである。しかし、また、有利に成し遂げられることは、テープから摩滅された材料が、テープガイドの領域に蓄積するのが防止されることでもある。このような蓄積は、データキャリアの良好なガイドおよびデータキャリアの良好なスキャンに不利であり、これを防止することにより、コーティングの４０ｍＮ／ｍ以下の低い表面張力が得られる。テープ形態のデータキャリアをガイドする機能を果たすテープガイドの内壁をコーティングするために本発明によるコーティングを用いる利点は、特に、この点において重要な３つの材料の３つの特性（すなわち、高い硬度、クロミウムを含まない組成、および低い表面張力）を有利に組み合わせることにある。この上記の３つの特性の有利な組み合わせは、上記の材料（すなわち、チタン−アルミニウム窒化物、炭化タングステン、窒化シリコン、窒化クロミウム、およびＤＬＣ）を用いては生じない。なぜなら、チタン−アルミニウム窒化物、窒化クロミウム、および窒化シリコンは、十分な耐磨耗性を有さず、また、炭化タングステンおよびＤＬＣの表面張力は、高すぎるからである。
【００１２】
本発明による記録および／または再生デバイス、ならびに本発明によるテープガイドでは、コーティングが窒化ジルコニウムまたは窒化チタンから構成されることが非常に有利であることが見出されている。窒化ジルコニウムは、３６００ＨＶの有利な表面硬さを有し、窒化チタンは、２６００ＨＶの有利な表面硬さを有する。窒化ジルコニウムの表面張力は、約３３ｍＮ／ｍの有利な値を有し、窒化チタンの表面張力は、約４０ｍＮ／ｍの有利な値を有する。いずれの材料もクロミウムを含まないことが有利である。
【００１３】
本発明による記録および／または再生デバイス、ならびに本発明によるテープガイドでは、窒化ジルコニウムまたは窒化チタンのコーティングが、ガイド壁と２つのガイドフランジとの間の２つの移行領域に位置するテープガイドの領域のみに設けられることができる。しかし、ガイド壁全体およびガイドフランジの互いに対向する内壁に、全体的にコーティングで覆われていることが非常に有利であると証明されている。このような構成は、簡単な製品については非常に有利であることが分かっている。
【００１４】
本発明に従って設けられるコーティングの膜厚さに関して、膜厚さは、テープガイドのデザインに依存すると言える。本発明によるテープガイドは、例えば、円筒形テープガイド壁がガイドフランジによって規定される固定円筒形テープガイドによって形成されてもよい。しかし、あるいは、本発明によるこのようなテープガイドは、アーチ形または他の湾曲形状であるガイド壁を有する固定テープガイドによって形成されてもよい。この種の固定テープガイドでは、本発明によるコーティングの膜厚さは、２．５μｍより大きい方が有利である。あるいは、本発明によるテープガイドは、円筒形ガイド面および２つのガイドフランジを有する回転可能に搭載されたテープガイドによって形成されてもよい。この場合、本発明によるコーティングが１．５μｍと２．５μｍとの間の厚さを有することが有利であることが見出されている。この場合、コーティングが１．８μｍの厚さを有することが特に有利であることが分かっている。この種のコーティング厚さは、一方では、できるだけ速くかつ安価に製造され得るコーティングと、他方では、耐摩滅性の高いコーティングとを非常に良好に満足している。
【００１５】
本発明による記録および／または再生デバイス、または本発明によるテープガイドでは、コーティングが０．０５μｍ以下、好ましくは、０．０３μｍ以下の粗さ値ＲＡの表面粗さを有する場合、非常に有利であることがさらに分かっている。この種のステップがとられる場合、テープ形態のデータキャリアに対する信号の記録または再生において、特に良好な信号品質が成し遂げられることができることが示されている。特定の応用では、わずか０．０２μｍの粗さ値ＲＡの表面粗さを有するコーティングが有利であると言える。
【００１６】
コーティングが、スパッタリング、特に、物理蒸着法によって施される場合、特に有利であることが分かっている。このようなプロセスは、本発明との関連において特に有利であることが分かっている。なぜなら、このプロセスは、約２００(Ｃ以下の比較的低い温度で十分であることが見出され、これは、本発明によるテープガイドが、ニッケルでめっきされたアルミニウムからなる中間製品を基にして製造され、次に、中間製品に、窒化ジルコニウムまたは窒化チタンのコーティングを施す場合に特に有用である。このような中間製品はまた、真鍮または鋼鉄でも形成されることができるとも言える。
【００１７】
本発明の上記および他の態様は、以下に記載される実施形態を参照することにより明白となり、明らかとなるであろう。
【発明を実施するための最良の形態】
【００１８】
以下、本発明を図面を参照しながらさらに詳細に記載する。図面は、本発明を限定しない、例として与えられる３つの実施形態を示している。
【００１９】
図１は、ディジタルデータを記録および再生することを意図して構成された記録および再生デバイス１を示し、このデバイスを用いることにより、大量のデータを保存できる。記録およい再生デバイス１は、以下では、簡単のため格納デバイス１と呼ぶ。
【００２０】
格納デバイス１に関して、以下に挙げる特許を参照する。すなわち、ＷＯ００／３００９０号、ＷＯ００／３００９１号、ＷＯ００／３００９２号、ＷＯ００／３００９３号、ＷＯ００／３００９４号、ＷＯ００／３００９５号、ＷＯ００／３００９６号、ＷＯ００／３００９７号、ＷＯ００／３００９８号、ＷＯ００／３５４０１号、およびＷＯ０１／３５４０２号である。上記の特許では、格納デバイスは、図１に示される格納デバイス１に類似するまたは同一の多くの特徴を開示している。上記の特許への言及により、本明細書では、参照のためにその開示を援用している。このため、図１に示される格納デバイス１のさらなる記載は、本発明との関連において重要な領域および部分のみに限定される。
【００２１】
図１に示される一点鎖線によってのみ示されるカセット２は、矢印３の方向に格納デバイス１に挿入され得る。カセット２には、テープ形態（すなわち、磁気テープ）のデータキャリアが収容されている。磁気テープは、格納デバイス１に設けられている取出しテープ４によってカセット２から取り出され、次に、巻取りスプール５まで移動されることができる。カセット２から磁気テープの取出しが行われ、完了した後、磁気テープは、取出しテープ４と同じ経路を辿る。後者は、図１に一点鎖線によって示される。この経路に従って、図１に示されない磁気テープは、第１のテープガイド６を横断し、矢印８によって示されるテープ走行方向に垂直な方向に、アクチュエータデバイス７によって調整可能な磁気ヘッド９を通過し、第２のテープガイド１０を横断して巻取りスプール５まで、カセット２から離れてガイドされる。
【００２２】
２つのテープガイド６および１０は、詳細には示されていないスピンドルによって回転可能に設けられるテープガイドローラである。以下に、第２のテープガイド１０の構成について、図２ないし図４を参照しながら、さらに詳細に説明する。
【００２３】
テープガイド１０は、図１に示されない磁気テープをガイドすることを意図して構成されている。この磁気テープ１１の一部は図４に示される。テープガイド１０は、上記のように、回転可能に設けられたテープガイドローラの形態である。テープガイド１０は、この場合、湾曲して延びるガイド壁１３、および特に円筒形状に延びるガイド壁１３によって規定される管状部１２を有する。テープガイド１０はまた、ガイド壁１３を超えて突出する２つのガイドフランジ、すなわち、第１のガイドフランジ１４および第２のガイドフランジ１５を有する。２つのガイドフランジ１４および１５は、図２ないし図４のそれぞれにおいて双方向矢印１５で示されるテープ走行方向８に垂直な方向に互いに距離を置いて配置され、これらの間の距離は、ガイドされる磁気テープの幅と一致するように選択される。２つのガイドフランジ１４および１５は、それぞれ、ガイド壁１３に隣接し、それぞれの移行領域１６、１７は、ガイド壁１３と２つのガイドフランジ１４および１５のそれぞれとの間に設けられる。図２ないし図４に示されるテープガイド１０の場合、２つの移行領域１６および１７は、断面がアーチ状である。テストの目的で実際に製造されたテープガイド１０では、約０．１ｍｍの曲率半径が、移行領域１６および１７に対して選択されて実現された。このようにデザインされた２つの移行領域１６および１７によってテープガイド１０で成し遂げられることは、２つの移行領域１６および１７に位置するテープガイド１０の領域が、それぞれ、テープの走行方向８に垂直（すなわち、双方向矢印１５に平行）に磁気テープ１１の誤った移動が起こる場合、誤った移動が大きくなるにつれてそれを妨げる効果が大きくなるように、この誤った移動を妨げる力を、磁気テープ１１の縁部１８（図４）に与え得ることである。
【００２４】
テープガイド１０の場合、空洞の円筒形ガイド要素１２、したがってガイド壁１３、ならびにテープガイド１０の２つのガイドフランジ１４および１５が、コーティング（すなわち、この場合、ニッケルでめっきされたアルミニウム）を保持するのに適した材料で構成され、ガイド壁１３全体、ガイドフランジ１４および１５の互いに対向する内壁１９および２０が全体的にコーティング２１によって覆われ、したがってガイド壁１３とガイドフランジ１４および１５との間の移行領域１６および１７もコーティング２１によって覆われるように設計される。したがって、テープガイド１０の場合、磁気テープ１１の関連する縁部１８に力を与えることができる、２つの移行領域１６および１７に位置するテープガイド１０の領域は、コーティング２１で覆われる。図２ないし図４に示されるテープガイド１０のコーティング２１は、この場合、窒化ジルコニウムで構成される。別法として、コーティング２１は、窒化チタンのコーティングで形成され得る。少なくとも２２００ＨＶの表面硬さおよび４０ｍＮ／ｍ以下の表面張力を有する他の材料もまた用いられ得る。
【００２５】
図５に示されるテープガイドでは、内壁１３とガイドフランジとの間の移行領域は、ほぼ直線に延びる斜面で形成される。第１のガイドフランジ１４および関連の移行領域１６のみが図５で見られる。
【００２６】
図６に示されるテープガイド１０では、移行領域は、第１のガイドフランジ１４における移行領域１６の場合、図６に示され得るように、アンダーカットで形成される。
【００２７】
図５および図６に示される２つのテープガイド１０の場合、コーティング２１は、図２ないし図４に示されるテープガイド１０と同様に設けられ、これらのコーティング２１は、同様に、窒化ジルコニウムで構成される。
【００２８】
図２ないし図４、図５および図６にそれぞれ示される３つのすべてのテープガイド１０の場合、コーティング２１を施すことにより、高い耐磨耗性、およびテープから摩滅した材料の堆積に対する高い耐性の両方が提供され、その結果、テープガイドの長い動作寿命および高い水準が、これらのテープガイド１０のすべてに対して保証され得る。
【図面の簡単な説明】
【００２９】
【図１】本発明の第１の実施形態による２つのテープガイドを有する本発明の第１の実施形態による記録および／または再生デバイスの平面図である。
【図２】図１のデバイスのテープガイドローラの図１におけるＩＩ−ＩＩ線に沿って取った断面図である。
【図３】図２のテープガイドローラの図２におけるＩＩＩ−ＩＩＩ円で示される詳細を示す図である。
【図４】磁気テープの一部がともに示される、図３より大きなスケールの図３の詳細の一部を示す図である。
【図５】本発明の第２の実施形態によるテープガイドの詳細を、図４と同様に示す図である。
【図６】本発明の第３の実施形態によるテープガイドの詳細を、図３および図５と同様に示す図である。
【図１】
2005509234.tif 000003
【図２】
2005509234.tif 000004
【図３】
2005509234.tif 000005
【図４】
2005509234.tif 000006
【図５】
2005509234.tif 000007
【図６】
2005509234.tif 000008
【国際調査報告】
2005509234.tif 000009
2005509234.tif 000010
2005509234.tif 000011